(57)【要約】【課題】塔状構造物が比較的狭い敷地に立設されている場合や、塔状構造物が老朽化した煙突等である場合においても、塔状構造物の解体を作業員の負担を軽減して効率を上げながら行うこと。【解決手段】煙突ａの周囲に足場１１を組み立て、建設用リフト１２を昇降装置１２ｃによって煙突ａの側部で上昇させ、上昇した建設用リフト１２を、昇路側水平レール１１ｃ３や降路側水平レール１１ｃ４に沿って水平移動させることで煙突ａの頂部上方に位置させる。建設用リフト１２には、クレーン２１ｂ、ゴンドラ１２ｆ、コンクリート砕破機１２ｈ、鉄筋切断機１２ｉ、養生シート１２ｊ等を設けておく。建設用リフト１２は、昇降装置１２ｃによって煙突ａの頂部上方に位置する状態に漸次下降しながら、作業員による煙突ａの解体作業を補助する。【選択図】      図１
2004183450.tif 000002
【特許請求の範囲】
【請求項１】
解体される塔状構造物の周囲に組み立てられる足場と、
前記足場に対して昇降可能な昇降手段を有し、塔状構造物の頂部上方に位置する状態に設けられる建設用リフトとを備えることを特徴とする塔状構造物の解体装置。
【請求項２】
前記建設用リフトには、解体手段が設けられていることを特徴とする請求項１に記載の塔状構造物の解体装置。
【請求項３】
前記建設用リフトには、揚重手段が設けられていることを特徴とする請求項１又は２に記載の塔状構造物の解体装置。
【請求項４】
前記足場には、工事用仮設エレベータが設けられていることを特徴とする請求項１〜３のいずれか一項に記載の塔状構造物の解体装置。
【請求項５】
前記足場は、枠組足場と、この枠組足場に対して塔状構造物に向けて跳ね出して固定されるブラケット足場とであることを特徴とする請求項１〜４のいずれか一項に記載の塔状構造物の解体装置。
【請求項６】
前記ブラケット足場は、跳ねだし幅を調整可能であることを特徴とする請求項５に記載の塔状構造物の解体装置。
【請求項７】
前記建設用リフトには、前記足場のうち塔状構造物の解体部近傍を、その周囲から覆う養生シートが吊り下げられていることを特徴とする請求項１〜６のいずれか一項に記載の塔状構造物の解体装置。
【請求項８】
前記塔状構造物は煙突であり、
前記建設用リフトには、煙突内部を昇降するゴンドラが吊り下げられていることを特徴とする請求項１〜７のいずれか一項に記載の塔状構造物の解体装置。
【請求項９】
前記建設用リフトの落下を防止する落下防止部材が設けられていることを特徴とする請求項１〜８のいずれか一項に記載の塔状構造物の解体装置。
【請求項１０】
前記足場に沿ってガイド部材が設けられ、
前記建設用リフトには、前記ガイド部材にガイドされるガイドローラが設けられていることを特徴とする請求項１〜９のいずれか一項に記載の塔状構造物の解体装置。
【請求項１１】
前記昇降手段は、前記建設用リフトを吊り下げる紐状部材と、この紐状部材を巻き取るための巻取装置とであることを特徴とする請求項１０に記載の塔状構造物の解体装置。
【請求項１２】
前記足場又は前記ガイド部材に対して設けられ、塔状構造物の側部で上昇した前記建設用リフトを塔状構造物の頂部上方まで水平移動させるための水平部材を有することを特徴とする請求項１１に記載の塔状構造物の解体装置。
【請求項１３】
前記昇降手段は、前記足場に沿って設けられるラックと、前記建設用リフトに対して設けられるモータと、このモータに連結されて前記ラックに噛合するギアとであることを特徴とする請求項１０に記載の塔状構造物の解体装置。
【請求項１４】
前記ラックは、前記建設用リフトを塔状構造物の側部で上昇させるための上昇用ラックと、前記建設用リフトを、塔状構造物の頂部上方に位置する状態に漸次下降させるための下降用ラックと、前記上昇用ラックと前記下降用ラックとを連結し、塔状構造物の側部で上昇した前記建設用リフトを塔状構造物の頂部上方まで水平移動させるための水平移動用ラックとであることを特徴とする請求項１３に記載の塔状構造物の解体装置。
【請求項１５】
前記巻取装置又は前記ラックは、前記ガイド部材に対して固定されていることを特徴とする請求項１１〜１４のいずれか一項に記載の塔状構造物の解体装置。
【請求項１６】
前記ガイド部材は、前記足場に隣接して立設され、前記建設用リフトが昇降するためのマストであることを特徴とする請求項１５に記載の塔状構造物の解体装置。
【請求項１７】
請求項１２に記載の塔状構造物の解体装置を用いた塔状構造物の解体方法であって、
塔状構造物の周囲に足場を組み立てるととともに、前記建設用リフトを塔状構造物の側部で前記巻取装置によって上昇させ、
次に、前記建設用リフトを、塔状構造物の頂部上方まで前記水平部材に沿って水平移動させ、
次に、塔状構造物の頂部上方に位置する状態に前記建設用リフトを前記巻取装置によって漸次下降させながら、塔状構造物の解体を行うことを特徴とする塔状構造物の解体方法。
【請求項１８】
請求項１４に記載の塔状構造物の解体装置を用いた塔状構造物の解体方法であって、
塔状構造物の周囲に足場を組み立てるととともに、前記建設用リフトを塔状構造物の側部で前記上昇用ラックに沿って上昇させ、
次に、前記建設用リフトを、塔状構造物の頂部上方まで前記水平移動用ラックに沿って水平移動させ、
次に、塔状構造物の頂部上方に位置する状態に前記建設用リフトを前記下降用ラックに沿って漸次下降させながら、塔状構造物の解体を行うことを特徴とする塔状構造物の解体方法。
【発明の詳細な説明】
【０００１】
【発明の属する技術分野】
本発明は、例えば、煙突等の塔状構造物の解体を行うための塔状構造物の解体装置及び塔状構造物の解体方法に関する。
【０００２】
【従来の技術】
老朽化したり、不要となった煙突や鉄塔等の塔状構造物を解体して撤去する従来の方法としては、塔状構造物の周囲に十分なスペースが確保できる場合には、移動式クレーンやタワークレーン等の大型重機を設置し、地表から解体作業を行うものがある。しかしながら、前記した方法は、都市部等において塔状構造物の周囲に十分なスペースが確保できない場合には採用できない。このような事情に鑑みて、近年においては、例えば特許文献１に示すように、塔状構造物である鉄塔を解体するための作業ステージを有し、鉄塔の側壁部に支持されて昇降可能に構成された解体装置が開発されている。これにより、鉄塔の周囲に十分なスペースが確保できない場合においても、解体装置に乗り込んだ作業員によって鉄塔の解体を行うことができるようになっている。
【０００３】
【特許文献１】
特開２０００−１４５１２６号公報、段落［０００５］〜段落［００４９］
【０００４】
【発明が解決しようとする課題】
ところで、特許文献１に記載の解体装置は、互いに上下の位置に設けられ、それぞれ鉄塔に着脱自在に固定される固定ブラケットと可動ブラケットとを有し、このうちの可動ブラケットを解体装置本体に対して相対的に上下動させることで、鉄塔に対して昇降している。したがって、例えば塔状構造物が老朽化した煙突である場合等には、解体装置を安定的に支持させることができない。
【０００５】
本発明の課題は、塔状構造物が比較的狭い敷地に立設されている場合や、塔状構造物が老朽化した煙突等である場合においても、塔状構造物の解体を作業員の負担を軽減して効率を上げながら行うことを可能とする塔状構造物の解体装置及び塔状構造物の解体方法を提供することである。
【０００６】
【課題を解決するための手段】
上記課題を解決するため、請求項１に記載の発明は、例えば図１〜図８、図１２〜図２６に示すように、
解体される塔状構造物（煙突ａ）の周囲に組み立てられる足場１１、２１、３１と、
前記足場１１、２１、３１に対して昇降可能な昇降手段（昇降装置１２ｃ、２２ｃ、３２ｃ）を有し、塔状構造物（煙突ａ）の頂部上方に位置する状態に設けられる建設用リフト１２、２２、３２とを備えることを特徴としている。
【０００７】
請求項１に記載の発明によれば、前記建設用リフトは、その昇降手段によって解体される塔状構造物の周囲に組み立てられた足場に沿って上昇することで、塔状構造物の頂部上方に位置することができる。そして、作業員による塔状構造物の解体作業に合わせて、前記昇降手段によって、塔状構造物の頂部上方に位置する状態に漸次下降することで、前記解体作業を連続的に補助することができる。ここで、前記足場は比較的狭い敷地に立設された塔状構造物の周囲にも容易に組み立てることができるものである。すなわち、塔状構造物が比較的狭い敷地に立設されている場合においても、塔状構造物の解体を作業員の解体作業の負担を軽減し、効率を上げながら行うことができる。
【０００８】
なお、塔状構造物としては、鉄塔、ＲＣ造の煙突等が挙げられる。
【０００９】
なお、足場としては、枠組足場、ブラケット足場、鋼管パイプによる足場等、いずれでもよく、また、これらが適宜組み合わさったものでもよい。
【００１０】
なお、建設用リフトによって作業員による塔状構造物の解体作業を補助するためには、この建設用リフトに様々な機器を設けておけばよい。例えば、作業員による塔状構造物の解体を補助するためのコンクリート圧砕機、鉄筋切断機、建設資材等を地上から吊り上げたり、吊り降ろしたりするためのクレーン等が挙げられる。また、塔状構造物が煙突である場合には、煙突の解体前に煙突内部の洗浄等を行ったりするためのゴンドラ等を吊り下げてもよい。さらに、解体作業によって生じる粉塵、有害物質等が周囲に飛散することを防止するための養生シートを建設用リフトに吊り下げることもできる。
【００１１】
なお、建設用リフトの昇降を行う方法としては、例えば、足場に沿ってラックを設けるととともに建設用リフトにモータを設置し、ラックにモータが有するギアを噛合させる方法、建設用リフトを足場の所定の位置から電動チェーンブロック等によって吊り上げる方法等が挙げられる。
【００１２】
請求項２に記載の発明は、例えば図１、図３、図１８、図２４に示すように、請求項１に記載の塔状構造物の解体装置１０、２０、３０において、
前記建設用リフト１２、２２、３２には、解体手段（コンクリート砕破機１２ｈ、２２ｈ、３２ｈ、鉄筋切断機１２ｉ、２２ｉ、３２ｉ）が設けられていることを特徴としている。
【００１３】
請求項２に記載の発明によれば、建設用リフトには解体手段が設けられているので、作業員は前記解体手段を用いて塔状構造物の解体を行うことができる。すなわち、作業員は、解体手段を塔状構造物の解体部まで搬送したりする必要がない。したがって、塔状構造物の解体作業を行う作業員の負担を軽減することができる。
【００１４】
前記解体手段としては、例えば、コンクリート砕破機や、鉄筋切断機等が挙げられる。
【００１５】
請求項３に記載の発明は、例えば図１〜図３、図１２〜図１８、図２０〜図２４に示すように、請求項１又は請求項２に記載の塔状構造物の解体装置１０、２０、３０において、
前記建設用リフト１２、２２、３２には、揚重手段（クレーン１２ｂ、２２ｂ、３２ｂ）が設けられていることを特徴としている。
【００１６】
請求項３に記載の発明によれば、建設用リフトには揚重手段が設けられているので、この揚重手段を用いて、例えば足場材、建設資材、解体機器等を、地上から解体部まで吊り上げたり、解体部から地上まで吊り下ろしたりすることができる。したがって、塔状構造物の解体作業を行う作業員の負担をさらに軽減することができる。
【００１７】
請求項４に記載の発明は、例えば図１、図２に示すように、請求項１〜３のいずれか一項に記載の塔状構造物の解体装置１０において、
前記足場１１には、工事用仮設エレベータ１１ｄが設けられていることを特徴としている。
【００１８】
請求項４に記載の発明によれば、足場には工事用仮設エレベータが設けられているので、この工事用仮設エレベータを用いて、建設資材、解体機器、作業員等を、地上から塔状構造物の解体部まで搬送したり、前記解体部から地上まで搬送したりすることができる。したがって、塔状構造物の解体作業を行う作業員の負担をさらに軽減することができる。
【００１９】
請求項５に記載の発明は、例えば図１、図３、図１８、図２４に示すように、請求項１〜４のいずれか一項に記載の塔状構造物の解体装置１０、２０、３０において、
前記足場１１、２１、３１は、枠組足場１１ａ、２１ａ、３１ａと、この枠組足場１１ａ、２１ａ、３１ａに対して塔状構造物（煙突ａ）に向けて跳ね出して固定されるブラケット足場１１ｂ、２１ｂ、３１ｂとであることを特徴としている。
【００２０】
請求項５に記載の発明によれば、足場は、枠組足場と、この枠組足場に対して塔状構造物に向けて跳ね出して固定されるブラケット足場とであるため、塔状構造物が煙突のように上部と下部とで直径が異なり、枠組足場と塔状構造物との間に間隔が生じる場合においても、この間隔にブラケット足場を跳ね出すことで、作業員が解体作業を行うための場所を容易に確保できる。
【００２１】
請求項６に記載の発明は、請求項５に記載の塔状構造物の解体装置１０、２０、３０において、
前記ブラケット足場１１ｂ、２１ｂ、３１ｂは、跳ねだし幅を調整可能であることを特徴としている。
【００２２】
請求項６に記載の発明によれば、ブラケット足場は、跳ねだし幅を調整可能であるので、塔状構造物が煙突のように上部から下部へ向けて径が漸次変化し、枠組足場と塔状構造物との間の間隔が漸次変化する場合においても、この間隔にブラケット足場を、跳ね出し幅を調整しながら跳ね出すことで、作業員が解体作業を行う場所を容易に確保できる。
【００２３】
なお、跳ねだし幅を調整可能なブラケット足場は、周知の技術である。
【００２４】
請求項７に記載の発明は、例えば図３、図１８、図２４に示すように、請求項１〜６のいずれか一項に記載の塔状構造物の解体装置１０、２０において、
前記建設用リフト１２、２２、３２には、前記足場１１、２１、３１のうち塔状構造物（煙突ａ）の解体部近傍を、その周囲から覆う養生シート１２ｊ、２２ｊ、３２ｊが吊り下げられていることを特徴としている。
【００２５】
請求項７に記載の発明によれば、建設用リフトには、足場のうち塔状構造物の解体部近傍を、その周囲から覆う養生シートが吊り下げられているので、解体作業によって生じる粉塵、有害物質等の周囲への飛散を防止することができる。
【００２６】
請求項８に記載の発明は、例えば図１、図９に示すように、請求項１〜７のいずれか一項に記載の塔状構造物の解体装置１０において、
前記塔状構造物は煙突ａであり、
前記建設用リフト１２には、煙突ａ内部を昇降するゴンドラ１２ｆが吊り下げられていることを特徴としている。
【００２７】
請求項８に記載の発明によれば、建設用リフトには、塔状構造物である煙突内部を昇降するゴンドラが吊り下げられている。このゴンドラを利用することで、煙突を解体する前に、煙突内部を洗浄したり、ダイオキシン類等の有害物質を固化・埋封するための埋封剤を充填したりする作業を容易かつ確実に行うことができる。
【００２８】
請求項９に記載の発明は、例えば図５〜図７、図１８、図１９に示すように、請求項１〜８のいずれか一項に記載の塔状構造物の解体装置１０、２０において、
前記建設用リフト１２、２２の落下を防止する落下防止部材（固定ピン１１ｃ５、固定ブラケット１２ｃ３、クランプ２２ｃ３）が設けられていることを特徴としている。
【００２９】
請求項９に記載の発明によれば、建設用リフトの落下を防止する落下防止部材が設けられているため、建設用リフトはその落下が防止されて安定的に昇降することができる。
【００３０】
なお、落下防止部材の構成としては、例えば、建設用リフトと足場とのうち、いずれか一方に対し、他方を把持可能なクランプを設けておいてもよいし、いずれか一方に設けられた部材を、他方に対して落下が防止される状態に嵌合可能に構成しておけばよい。
【００３１】
請求項１０に記載の発明は、例えば図１〜図８、図１８〜図２３、図２５、図２６に示すように、請求項１〜９のいずれか一項に記載の塔状構造物の解体装置１０、２０、３０において、
前記足場１１、２１、３１に沿ってガイド部材（マスト１１ｃ、ガイドレール２１ｃ、ガイド柱３１ｃ）が設けられ、
前記建設用リフト１２、２２、３２には、前記ガイド部材（マスト１１ｃ、ガイドレール２１ｃ、ガイド柱３１ｃ）にガイドされるガイドローラ１２ｄ、２２ｄ、３２ｃ５が設けられていることを特徴としている。
【００３２】
請求項１０に記載の発明によれば、前記建設用リフトは、そのガイドローラが前記ガイド部材にガイドされながら、さらに安定的に昇降することができる。
【００３３】
なお、ガイド部材は、建設用リフトが昇降する部分にのみ設けられていればよく、建設用リフトの昇降方向に沿って適宜盛り替えて用いればよい。ガイド部材を盛り替えながら用いることでガイド部材の使用量を低減して機械コストを抑え、結果、施工コストを抑えることができる。
【００３４】
なお、ガイド部材の構成としては、例えば、足場に沿ってガイドレールを取り付けておき、このガイドレールを周囲から覆った状態に当接するガイドローラを建設用リフトに取り付けておけばよい。また、建設用リフトのガイドを兼ねた昇降専用のマストを設けておいてもよい。この構成によれば、建設用リフトの荷重がマストに負担され、足場等が建設用リフトの荷重を負担することを防止することができる。
【００３５】
請求項１１に記載の発明は、例えば図１、図３、図５、図６、図８、図１８、図１９に示すように、請求項１０に記載の塔状構造物の解体装置１０、２０において、
前記昇降手段は、前記建設用リフト１２、２２を吊り下げる紐状部材（チェーン）と、この紐状部材チェーン）を巻き取るための巻取装置（電動チェーンブロック１２ｃ１、２２ｃ１）とであることを特徴としている。
【００３６】
請求項１１に記載の発明によれば、建設用リフトの昇降は、建設用リフトを吊り下げる紐状部材と、この紐状部材を巻き取るための巻取装置とによって行われる。すなわち、前記昇降手段を比較的簡易な構成とすることができるとともに、昇降手段のメインテナンス等も容易となる。
【００３７】
なお、前記紐状部材としては、例えば、チェーン、ワイヤ、ロープ等がある。
【００３８】
なお、前記巻取装置は、足場に設置されていても建設用リフトに設置されていても、その他の場所、例えば地上に設定されていてもよい。
【００３９】
なお、前記巻取装置も、建設用リフトが昇降する部分にのみ設けられていればよく、安定性の確保等のために建設用リフトの昇降方向に沿って適宜盛り替えて用いることができるものである。
【００４０】
請求項１２に記載の発明は、例えば図３、図５、図６、図８に示すように、請求項１１に記載の塔状構造物の解体装置１０、２０において、
前記足場１１、２１又は前記ガイド部材（マスト１１ｃ、ガイドレール２１ｃ、）に対して設けられ、塔状構造物（煙突ａ）の側部で上昇した前記建設用リフト１２、２２を塔状構造物（煙突ａ）の頂部上方まで水平移動させるための水平部材（第１の水平レール１１ｃ３、第２の水平レール１１ｃ４、水平移動用レール２１ｄ１）を有することを特徴としている。
【００４１】
請求項１２に記載の発明によれば、塔状構造物の側部で上昇した建設用リフトを、前記水平部材に沿って水平移動させることで塔状構造物の頂部上方に容易に位置させることができる。
【００４２】
なお、塔状構造物の頂部上方に位置した建設用リフトを、解体される塔状構造物の頂部上方に位置する状態に漸次下降させることで、作業員による塔状構造物の解体を連続的に補助することができる。
【００４３】
請求項１３に記載の発明は、例えば図２４〜図２６に示すように、請求項１０に記載の塔状構造物の解体装置３０において、
前記昇降手段は、前記足場３１に沿って設けられるラック３１ｄと、前記建設用リフト３２に対して設けられるモータ３２ｃ３と、このモータ３２ｃ３に連結されて前記ラック３１ｄに噛合するギア（ピニオン３２ｃ４）とであることを特徴としている。
【００４４】
請求項１３に記載の発明によれば、建設用リフトの昇降は、足場に沿って設けられるラックに、建設用リフトに設けられるモータに連結されたギア部材が噛合することで行われる。したがって、前記昇降手段を精度良くかつ安定的に構成することができる。
【００４５】
なお、前記ラックも、建設用リフトが昇降する部分にのみ設けられていればよく、使用量の低減等のために建設用リフトの昇降方向に沿って適宜盛り替えて用いることができるものである。
【００４６】
請求項１４に記載の発明は、例えば図２６に示すように、請求項１３に記載の塔状構造物の解体装置３０において、
前記ラック３１ｄは、前記建設用リフト３２を塔状構造物（煙突ａ）の側部で上昇させるための上昇用ラック３１ｄ１と、前記建設用リフト３２を、塔状構造物（煙突ａ）の頂部上方に位置する状態に漸次下降させるための下降用ラック３１ｄ２と、前記上昇用ラック３１ｄ１と前記下降用ラック３１ｄ２とを連結し、塔状構造物（煙突ａ）の側部で上昇した前記建設用リフト３２を塔状構造物（煙突ａ）の頂部上方まで水平移動させるための水平移動用ラック３１ｄ３とであることを特徴としている。
【００４７】
請求項１４に記載の発明によれば、建設用リフトは、塔状構造物の側部で前記上昇用ラックに沿って上昇することができる。そして、塔状構造物の頂部まで上昇した建設用リフトは、前記水平移動用ラックに沿って水平移動することで、解体される塔状構造物の頂部上方に容易に位置することができる。さらに、建設用リフトは、解体される塔状構造物の頂部上方に位置する状態に前記下降用ラックに沿って漸次下降することで、作業員による塔状構造物の解体作業を連続的に補助することができる。
【００４８】
請求項１５に記載の発明は、例えば図３、図５、図６、図８、図１８、図１９に示すように、請求項１１〜１４のいずれか一項に記載の塔状構造物の解体装置１０、２０において、
前記巻取装置（電動チェーンブロック１２ｃ１、２２ｃ１）又は前記ラックは、前記ガイド部材（マスト１１ｃ、ガイドレール２１ｃ）に対して固定されていることを特徴としている。
【００４９】
請求項１５に記載の発明によれば、前記巻取装置又は前記ラックは、前記ガイド部材に対して固定されている。ここで、前記ガイド部材は、前記したように、建設用リフトが昇降する部分にのみ設けられていればよく、使用量の低減等を図るために建設用リフトの昇降方向に沿って適宜盛り替えて用いることができるものである。また、巻取装置やラックも、前記したように、建設用リフトが昇降する部分にのみ設けられていればよく、安定性の確保、使用量の低減等のために建設用リフトの昇降方向に沿って適宜盛り替えて用いることができるものである。すなわち、前記建設用リフトを昇降させる際において、ガイド部材やラックの使用量を低減したり巻取装置の安定性を確保したりするための、前記ガイド部材の盛り替え作業と、巻取装置やラックの盛り替え作業とを同時に行って作業性を向上させることができる。
【００５０】
請求項１６に記載の発明は、例えば図１〜図８、図１２、図１５、図１７に示すように、請求項１５に記載の塔状構造物の解体装置１０において、
前記ガイド部材は、前記足場１１に隣接して立設され、前記建設用リフト１２が昇降するためのマスト１１ｃであることを特徴としている。
【００５１】
請求項１６に記載の発明によれば、前記巻取装置や前記ラックが固定される前記ガイド部材は、前記足場に隣接して立設され、前記建設用リフトが昇降するためのマストである。すなわち、前記建設用リフトの荷重は、前記巻取装置や前記ラックを介してマストに負担される。すなわち、前記建設用リフトの荷重が足場等に負担されることがないため、足場は、昇降中の建設用リフトの振動、衝撃を直接受けることがない。したがって、足場を安定して立設することができる。
【００５２】
請求項１７に記載の発明は、例えば図５、図１０〜図１７に示すように、請求項１２に記載の塔状構造物の解体装置１０を用いた塔状構造物の解体方法であって、
塔状構造物（煙突ａ）の周囲に足場１１を組み立てるととともに、前記建設用リフト１２を塔状構造物（煙突ａ）の側部で前記巻取装置（電動チェーンブロック１２ｃ１）によって上昇させ、
次に、前記建設用リフト１２を、塔状構造物（煙突ａ）の頂部上方まで前記水平部材（第１の水平レール１１ｃ３、第２の水平レール１１ｃ４）に沿って水平移動させ、
次に、塔状構造物（煙突ａ）の頂部上方に位置する状態に前記建設用リフト１２を前記巻取装置（電動チェーンブロック１２ｃ１）によって漸次下降させながら、塔状構造物の（煙突ａ）解体を行うことを特徴としている。
【００５３】
請求項１７に記載の発明によれば、解体される塔状構造物の周囲に足場が組み立てられるとともに、前記建設用リフトは、前記巻取装置によって塔状構造物の側部で上昇し、さらに、塔状構造物の頂部上方まで前記水平部材に沿って水平移動するので、塔状構造物の頂部上方に容易に位置することができる。そして、前記建設用リフトは、塔状構造物の頂部上方に位置する状態に前記巻取装置によって漸次下降するので、作業員による塔状構造物の解体作業を連続的に補助することができる。ここで、前記足場は比較的狭い敷地に立設された塔状構造物の周囲にも容易に組み立てることができるものである。すなわち、塔状構造物が比較的狭い敷地に立設されている場合においても、塔状構造物の解体を作業員の解体作業の負担を軽減し、効率を上げながら行うことができる。
【００５４】
請求項１８に記載の発明は、請求項１４に記載の塔状構造物の解体装置３０を用いた塔状構造物の解体方法であって、
塔状構造物（煙突ａ）の周囲に足場を組み立てるととともに、前記建設用リフト１２を塔状構造物（煙突ａ）の側部で前記上昇用ラック３１ｄ１に沿って上昇させ、
次に、前記建設用リフト１２を、前記上昇用ラック３１ｄ１から前記下降用ラック３１ｄ２まで、前記水平移動用ラック３１ｄ３に沿って水平移動させ、
次に、塔状構造物（煙突ａ）を解体するとともに、前記建設用リフト３２を解体される塔状構造物（煙突ａ）の頂部上方に位置する状態に前記水平移動用ラック３１ｄ２に沿って下降させることを特徴としている。
【００５５】
請求項１８に記載の発明によれば、解体される塔状構造物の周囲に足場が組み立てられるとともに、前記建設用リフトは、前記上昇用ラックに沿って塔状構造物の側部で上昇し、さらに、塔状構造物の頂部上方まで前記水平移動用ラックに沿って水平移動することで、塔状構造物の頂部上方に容易に位置することができる。そして、前記建設用リフトは、塔状構造物の頂部上方に位置する状態に前記下降用ラックに沿って漸次下降することで、作業員による塔状構造物の解体作業を連続的に補助することができる。ここで、前記足場は比較的狭い敷地に立設された塔状構造物の周囲にも容易に組み立てることができるものである。すなわち、塔状構造物が比較的狭い敷地に立設されている場合においても、塔状構造物の解体を作業員の解体作業の負担を軽減し、効率を上げながら行うことができる。
【００５６】
【発明の実施の形態】
以下、図１〜図２６を参照して、本発明である塔状構造物の解体装置の実施の形態を、〔第１の実施の形態〕、〔第２の実施の形態〕、〔第３の実施の形態〕に分けて詳細に説明する。
【００５７】
〔第１の実施の形態〕
本実施の形態は、図１〜図１７に示すように、煙突の解体に関するものである図１において符号１０は解体装置を示し、符号ａは塔状構造物であるＲＣ造の煙突（塔状構造物）を示す。なお、煙突ａは、上部から下部へ向けて径が漸次変化している。
【００５８】
本実施の形態における解体装置１０は、図１〜図４に示すように、煙突ａの周囲に組み立てられる足場１１と、解体される煙突ａの頂部に位置した状態に、足場１１に沿って昇降可能に設けられる建設用リフト１２とを備えて概略構成されており、これら足場１１や建設用リフト１２は、様々な機器を有している。
【００５９】
足場１１は、煙突ａの全周にわたって周囲に組み立てられる。この足場１１は、枠組足場１１ａとブラケット足場１１ｂとで構成されている。枠組足場１１ａは、地上から積層されて容易に組み立てられるものである。ブラケット足場１１ｂは周知の技術であり、枠組足場１１ａに対して煙突ａに向けて跳ね出して固定され、跳ね出し幅を調整可能である。このようにして、ブラケット足場１１ｂを枠組足場１１ａから跳ね出して設けることで、煙突ａの径が上部から下部へ向けて漸次変化し、枠組足場と煙突ａとの間の間隔が漸次変化する場合においても、作業員が解体作業を行う場所を容易に確保できる。足場１１には、マスト１１ｃが隣接して立設されているとともに、工事用仮設エレベータ１１ｄ等が設けられている。
【００６０】
マスト１１ｃ（ガイド部材）は、建設用リフト１２が昇降する際のガイドとなるとともに、建設用リフト１２の荷重を負担するものであり、枠組足場１１ａに隣接する状態に立設され、さらに、クランプ等の専用の金具によって枠組足場１１ａに固定されている。マスト１１ｃは、図５に示すように、建設用リフト１２が煙突ａの側部で上昇するための、昇路ｕ側の上昇用マスト１１ｃ１と、建設用リフト１２が煙突ａの頂部上方に位置する状態に漸次下降するための、降路ｄ側の下降用マスト１１ｃ２とから構成されている。なお、上昇用マスト１１ｃ１は、足場１１のうち、煙突ａの側部で互いに対向する位置にそれぞれ２本ずつ、計４本設けられている。また、下降用マスト１１ｃ２は、足場１１のうち、煙突ａを挟んで互いに対向する位置にそれぞれ２本ずつ、計４本設けられている。
【００６１】
これら上昇用マスト１１ｃ１や下降用マスト１１ｃ２は、建設用リフト１２の上昇時には順次延長され、下降時には順次撤去されるものである。この際、煙突ａに対して同じ側に位置する２本の上昇用マスト１１ｃ１どうし、あるいは、２本の下降用マスト１１ｃ２どうしは、それらの上端部が、例えばＨ型鋼から構成され、所定の剛性及び強度を有する第１の水平レール１１ｃ３（水平部材）、あるいは、第２の水平レール１１ｃ４（水平部材）によって連結される。さらに、第１の水平レール１１ｃ３、あるいは、第２の水平レール１１ｃ４には、後述する電動チェーンブロック１２ｃ１（巻取装置）や手動チェーンブロック１２ｃ４が吊り下げられる。なお、上昇用マスト１１ｃ１や下降用マスト１１ｃ２には、建設用リフト１２の落下を防止するための、後述する固定ピン１１ｃ５（落下防止部材）が所定間隔で設けられている。
【００６２】
前記したように、第１の水平レール１１ｃ３や第２の水平レール１１ｃ４は、建設用リフト１２の昇降時に電動チェーンブロック１２ｃ１を吊り下げるために用いられる他、後述するように、煙突ａの頂部上方において互いに連結されることで、足場１１の側部で煙突ａの頂部まで上昇した建設用リフト１２を煙突ａの頂部上方まで水平移動させるためにも用いられる。
【００６３】
工事用仮設エレベータ１１ｄは、地上から煙突ａの解体部まで昇降可能に足場１１に設けられており、作業員を、地上から解体部まで搬送したり、解体部から地上まで搬送したりする。なお、工事用仮設エレベータ１１ｄによって、建設資材、解体機器等を搬送してもよい。
【００６４】
建設用リフト１２は、本体１２ａ、クレーン１２ｂ（昇降手段）、昇降装置１２ｃ（昇降手段）を備えて概略構成され、煙突ａの周囲に組み立てられる足場１１の互いに対向する部分を繋ぐ状態に設けられるものであり、地上から煙突ａの側部で足場１１に沿って昇降装置１２ｃによって上昇し、煙突ａの頂部まで達すると、例えば図５に示すように、第１の水平レール１１ｃ３及び第２の水平レール１１ｃ４に沿って水平移動することで、煙突ａの頂部上方に位置する状態に設けられる。煙突ａの頂部上方に位置した建設用リフト１２は、作業員による煙突ａの解体作業に合わせて、煙突ａの頂部上方に位置する状態に昇降装置１２ｃによって上昇とは逆の手順で漸次下降し、これにより、作業員による煙突ａの解体作業を連続的に補助することができるようになっている。
【００６５】
本体１２ａは、所定の剛性を有して平面視矩形状に略矩形状に形成され、上部にはクレーン１２ｂを有し、両端部には足場１１に沿って昇降する昇降装置１２ｃをそれぞれ有している。本体１２ａは、クレーン１２ｂを設置するための架台となり、建設資材等の仮置場ともなる。本体１２ａには、図３、図５〜図８に示すように、ガイドローラ１２ｄ、水平移動用桁１２ｅ、ゴンドラ１２ｆ、作業用レール１２ｇ、コンクリート砕破機１２ｈ、鉄筋切断機１２ｉ、養生シート１２ｊ、その他、図示しない、噴霧装置、照明、換気装置等、様々な機器が設けられている。また、本体１２ａは、昇降装置１２ｃや前記した様々な機器に対して電気を供給する配電設備も備えている。
【００６６】
クレーン１２ｂは、起伏型であり、本体１２ａ上に設置され、建設資材を地上から解体部まで吊り上げたり、解体部から地上まで吊り下ろしたりする。なお、クレーン１２ｂは解体機器等を吊り上げたり、吊り下ろしたりするために用いられてもよい。この場合、解体機器等が入る吊りカゴ等を用いればよい。
【００６７】
昇降装置１２ｃは、建設用リフト１２の両端部にそれぞれ設けられ、電動チェーンブロック１２ｃ１、昇降吊りブラケット１２ｃ２、固定ブラケット１２ｃ３（落下防止部材）等から概略構成されている。
【００６８】
電動チェーンブロック１２ｃ１は、建設用リフト１２が煙突ａの側部で上昇する際には上昇用マスト１１ｃ１に対し、建設用リフト１２が煙突ａの頂部上方に位置する状態に漸次下降する際には下降用マスト１１ｃ２に対し、以下のようにして設けられている。すなわち、前記したように、煙突ａに対して同じ側に位置する２本の上昇用マスト１１ｃ１どうし、あるいは、２本の下降用マスト１１ｃ２どうしの上端部を連結し、例えばＨ型鋼から構成される第１の水平レール１１ｃ３や第２の水平レール１１ｃ４に対して吊り下げられている。
【００６９】
昇降吊りブラケット１２ｃ２は、電動チェーンブロック１２ｃ１を玉掛けして建設用リフト１２を吊り上げる際に用いられるものであり、図６〜図８に示すように、略水平となって一端部が建設用リフト１２の外側に向けて突出する水平状態と、前記一端部が下方に向くことで略垂直となる垂直状態との間で回動可能である。すなわち、昇降吊りブラケット１２ｃ２は、建設用リフト１２の昇降時には前記水平状態となり、一端部に電動チェーンブロック１２ｃ１のチェーンを玉掛けして吊り上げることが可能である。なお、昇降吊りブラケット１２ｃ２は、建設用リフト１２の水平移動時には前記垂直状態となる。
【００７０】
固定ブラケット１２ｃ３は、建設用リフト１２の落下を防止するためのものであり、図６〜図８に示すように、略水平に、建設用リフト１２の外側に向けて一端部が出没可能に設けられている。なお、前記一端部には上昇用マスト１１ｃ１や下降用マスト１１ｃ２の所定位置に設けられる固定ピン１１ｃ５を挿通するための孔が形成されている。すなわち、固定ブラケット１２ｃ３は、建設用リフト１２の昇降時に、前記一端部が建設用リフト１２の外側に向けて突出し、前記一端部に形成された孔に固定ピン１１ｃ５を挿入することで、上昇用マスト１１ｃ１や下降用マスト１１ｃ２に対して固定することができるようになっており、これにより建設用リフト１２の落下が防止される。
【００７１】
ガイドローラ１２ｄは、建設用リフト１２が昇降する際に、上昇用マスト１１ｃ１や下降用マスト１１ｃ２に対して回転可能に当接することで、上昇用マスト１１ｃ１や下降用マスト１１ｃ２をガイドとして建設用リフト１２の昇降を安定的に行うためのものである。ガイドローラ１２ｄは、図６、図７に示すように、略垂直となって上昇用マスト１１ｃ１や下降用マスト１１ｃ２に対して当接する垂直状態と、略水平となって上昇用マスト１１ｃ１や下降用マスト１１ｃ２に対する当接が外れる水平状態との間で回動可能である。
【００７２】
水平移動用桁１２ｅは、図３、図５に示すように、煙突ａの側部で上昇した建設用リフト１２を、昇路ｕ側から降路ｄ側へ水平移動させる際に、本体１２ａの両端部にそれぞれ取り付けられるものである。水平移動用桁１２ｅは、鋼材等で略Ｌ字型に形成されて先端部には取付状態で下方に向く車輪１２ｅ１を有している。建設用リフト１２の水平移動は、前記したように、煙突ａの頂部上方において互いに連結された第１の水平レール１１ｃ３と第２の水平レール１１ｃ４とを前記車輪１２ｅ１が水平移動することでなされる。
【００７３】
ゴンドラ１２ｆは、図９に示すように、本体１２ａから、図示しない２本からなるワイヤ１２ｆ２によって吊り下げられており、搭載されたウィンチ１２ｆ１によって、建設用リフト１２に対して昇降可能である。ゴンドラ１２ｆに乗り込んだ作業員は、煙突ａを解体する前に、煙突ａ内部を洗浄したり、ダイオキシン類等の有害物質を固化・埋封するための埋封剤を充填したりする。なお、図９において、符号１２ｆ３は電源キャプタイヤケーブルであり、符号１２ｆ４は命綱、符号１２ｆ５は安全帯及びＯリップを示す。
【００７４】
作業用レール１２ｇは、例えばＨ型鋼等によって構成され、本体１２ａに固定されている。なお、作業用レール１２ｇの本体１２ａに対する固定は、回転軸ピン１２ｇ１を介して本体１２ａに対して旋回可能となる状態でなされている。作業用レール１２ｇには、この作業用レール１２ｇに沿って移動可能なローラキャリアを介して、コンクリート砕破機１２ｈ、鉄筋切断機１２ｉ等が吊り下げられている。
【００７５】
コンクリート砕破機１２ｈ及び鉄筋切断機１２ｉは、作業員による操作によって煙突ａのＲＣ躯体ａ２を圧砕する。コンクリート砕破機１２ｈの動力源となるコンプレッサは、地上に設置してもよいし、本体１２ａに設置してもよい。本体１２ａに設置することで、地上に設置する場合に比べ、煙突高さ分のエアホースを省くことができるようになっている。
【００７６】
養生シート１２ｊは、本体１２ａから吊り下げられており、作業員による煙突ａの解体部を外周から覆う。これにより、解体作業によって生じる粉塵、有害物質等の周囲への飛散を防止することができる。
【００７７】
噴霧装置は、解体部に水を噴霧することにより、解体作業によって生じる粉塵等を低減する。
【００７８】
照明は、解体部の照明を行う。
【００７９】
換気装置は、解体部の換気を行う。
【００８０】
なお、煙突ａのＲＣ躯体ａ２の外周には、ガラの落下を防止するために養生シート１２ｊを固定するワイヤ１２ｊ１が設けられている。
【００８１】
以上のように構成された解体装置１０による煙突ａの解体方法を以下に説明する。
【００８２】
［建設用リフト設置工程］
先ず、地上において枠組足場１１ａを上方に所定長さ、例えば３層分組み立てる。そして、枠組足場１１ａのうち、煙突ａの側部で、煙突ａを挟んで互いに対向する位置にそれぞれ２本ずつ、計４本の上昇用マスト１１ｃ１を枠組足場１１ａに隣接させて立設する。同時に、下降用マスト１１ｃ２も、足場１１のうち、煙突ａを挟んで互いに対向する位置にそれぞれ２本ずつ、計４本立設しておく。なお、枠組足場１１ａと上昇用マスト１１ｃ１や下降用マスト１１ｃ２とは、例えば汎用的なクランプ等によって連結しておく。そして、建設用リフト１２を上昇用マスト１１ｃ１に対して固定する。具体的には、建設用リフト１２の固定ブラケット１２ｃ３の一端部を外側に突出させるとともに、この一端部に形成された孔に上昇用マスト１１ｃ１に形成された固定ピン１１ｃ５を挿入することで、落下が防止された状態に設置する。なお、昇降用吊りブラケット１２ｃ２は、前記水平状態としておく。建設用リフト１２の設置方法としては、枠組足場１１ａ上で組み立てて設置してもよいし、地上で組み立ててクレーン等で吊り上げて設置してもよい。（図１２参照、図１０における［１］、［２］）
【００８３】
［足場組み立て工程］
次に、組み立てられた枠組足場１１ａをさらに上方に所定長さ、例えば２層分組み立て、立設された上昇用マスト１１ｃ１をさらに上方に所定長さ延長する。この際、煙突ａに対して同じ側に位置する２本の上昇用マスト１１ｃ１の上端部を第１の水平レール１１ｃ３によって連結するととともに、この第１の水平レール１１ｃ３に対して電動チェーンブロック１２ｃ１を吊り下げる。なお、下降用マスト１１ｃ２も上昇用マスト１１ｃ１と略同じ高さまで延長しておく。（図１０における［３］）
【００８４】
［建設用リフト上昇工程］
次に、電動チェーンブロック１２ｃ１からチェーンを延出するとともに、このチェーンで前記水平状態の昇降用吊りブラケット１２ｃ２に対して玉掛けする。確実に玉掛けされたことを確認した後、固定ピン１１ｃ５の固定ブラケット１２ｃ３への挿入を外し、電動チェーンブロック１２ｃ１でチェーンを巻き取ることによって建設用リフト１２を上昇させる。この際、建設用リフト１２は、ガイドローラ１２ｄが上昇用マスト１１ｃ１に当接することで、上昇用マスト１１ｃ１に沿って円滑に上昇する。所定高さ上昇した建設用リフト１２は、前記した方法と同様の方法で、固定ブラケット１２ｃ３の一端部を外側に突出させ、この一端部に形成された孔に対し、上昇用マスト１１ｃ１に形成された固定ピン１１ｃ５を挿入して落下が防止された状態に設置する。（図６〜図８参照、図１０における［４］）
【００８５】
［足場組み立て工程］と［建設用リフト上昇工程］とを所定回数繰り返し、建設用リフト１２を煙突ａの頂部まで上昇させる。なお、下降用マスト１１ｃ２も延長される上昇用マスト１１ｃ１と略同じ高さとなるように順次延長していく。そして、煙突ａの頂部においても、固定ブラケット１２ｃ３による上昇用マスト１１ｃ１に対する固定を行う。（図１３〜図１５参照、図１０における［３］〜［６］）
【００８６】
［建設用リフト水平移動工程］
次に、建設用リフト１２が、固定ブラケット１２ｃ３によって上昇用マスト１１ｃ１に対して確実に固定されていることを確認後、上昇用マスト１１ｃ１の上端部に固定された第１の水平レール１１ｃ３に吊り下げられた電動チェーンブロック１２ｃ１からチェーンを延出して昇降吊りブラケット１２ｃ２に対する玉掛けを外す。そして、第１の水平レール１１ｃ３を電動チェーンブロック１２ｃ１ごと、下降用マスト１１ｃ２の上端部に移設する。さらに、移設された第１の水平レール１１ｃ３に連続する状態に、手動チェーンブロック１２ｃ４が吊り下げられた第２の水平レール１１ｃ４を、上昇用マスト１１ｃ１の上端部に固定する。
【００８７】
次に、水平移動用桁１２ｅを、その車輪１２ｅ１が第１の水平レール１１ｃ３上に位置する状態に本体１２ａの両端部にそれぞれ取り付ける。そして、手動チェーンブロック１２ｃ４からチェーンを延出して昇降吊りブラケット１２ｃ２に玉掛け後、チェーンを巻き取って建設用リフト１２を僅かに上昇させ、この状態で上昇用マスト１１ｃ１の固定ピン１１ｃ５を固定ブラケット１２ｃ３から外すとともに固定ブラケット１２ｃ３を本体１２ａの内側に引き込む。その後、手動チェーンブロック１２ｃ４のチェーンを延出させて、建設用リフト１２の荷重が、水平移動用桁１２ｅを介して第２の水平レール１１ｃ４に伝達されるようにする。さらにこの状態で、手動チェーンブロック１２ｃ４のチェーンの、昇降吊りブラケット１２ｃ２に対する玉掛けを外し、手動チェーンブロック１２ｃ４を撤去するとともに、昇降吊りブラケット１２ｃ２を前記水平状態から前記垂直状態に回動させる。なお、ガイドローラ１２ｄについては、前記垂直状態から前記水平状態に回動させて上昇用マスト１１ｃ１に対する当接を外す。
【００８８】
次に、建設用リフト１２を、その水平移動用桁１２ｅによって、第２の水平レール１１ｃ４から移設された第１の水平レール１１ｃ３に沿って移動させることで煙突ａの頂部上方に位置させる。この状態で、昇降吊りブラケット１２ｃ２を前記垂直状態から前記水平状態に回動させ、本体１２ａの外側に向けて突出した一端部に対し、電動チェーンブロック１２ｃ１のチェーンを延出させて玉掛けする。そして、電動チェーンブロック１２ｃ１のチェーンを巻き取り、建設用リフト１２を僅かに上昇させ、この状態で固定ブラケット１２ｃ３を本体１２ａの外側に引き出す。そして、電動チェーンブロック１２ｃ１のチェーンを延出させて、建設用リフト１２の荷重が固定ブラケット１２ｃ３を介して下降用マスト１１ｃ２に伝達されるようにし、この状態で固定ブラケット１２ｃ３と、下降用マスト１１ｃ２に設けられた固定ピン１１ｃ５とを係合させる。さらに、電動チェーンブロック１２ｃ１のチェーンの昇降吊りブラケット１２ｃ２に対する玉掛けを外すととともに、ガイドローラ１２ｄを前記水平状態から前記垂直状態に回動させて下降用マストに１１ｃ２当接させ、この後、水平移動用桁１２ｅ及び第２の水平レール１１ｃ４を撤去する。（図５、図６、図１６参照、図１０における［７］）
【００８９】
［解体機器設置工程］
次に、建設用リフト１２の本体１２ａに取り付けられている作業用レール１２ｇに、ローラキャリアを介した状態で、コンクリート砕破機１２ｈ、鉄筋切断機１２ｉ、養生シート１２ｊ等を吊り下げる。この際、吊り下げられた養生シート１２ｊは、ブラケット足場１１ｂの外側端部から内側端部まで敷設されるようにし、内側端部に位置する先端部をワイヤ１２ｊ１によって締め付けて煙突ａに固定する。（図３、図１７参照、図１０における［８］〜［１０］）
【００９０】
［煙突内部洗浄工程］
次に、本体１２ａにゴンドラ１２ｆをワイヤ等によって吊り下げる。そして、ゴンドラ１２ｆに乗り込んだ作業員は、ウィンチ１２ｆ１を操作して、ゴンドラ１２ｆを煙突ａの内部で下降させる。さらに作業員は、煙突ａの頂部から底部まで、煙突ａの内部に配設された耐火レンガａ１を洗浄し、さらに、ダイオキシン類等の有害物質を固化・埋封するための埋封剤を充填する。これによって、有害物質が概ね取り除かれるとともに、有害物質の周囲への飛散が埋封剤によって埋封されることで防止される。（図９参照、図１１における［１１］〜［１２］）
【００９１】
［煙突解体工程］
次に、ゴンドラ１２ｆをウィンチ１２ｆ１によって上昇させた後、作業員はブラケット足場１１ｂから煙突ａのＲＣ躯体ａ２を、下方に所定高さ、例えば３層分解体する。この際、煙突ａのＲＣ躯体ａ２とともに、耐火レンガａ１も同時に解体する。なお、煙突ａを解体することによって生じるガラは、煙突ａの内部を落下させて底部に蓄積する。蓄積されたガラは、煙突ａの底部に開口部を形成し、この開口部からバックホー等によって取り除く。（図３参照、図１１における［１３］、［１４］）
【００９２】
［建設用リフト下降工程］
次に、煙突ａが下方に所定高さ解体されたら、電動チェーンブロック１２ｃ１からチェーンを延出するとともに、このチェーンで前記水平状態の昇降用吊りブラケット１２ｃ２に対して玉掛けする。確実に玉掛けされたことを確認した後、固定ピン１１ｃ５の固定ブラケット１２ｃ３への挿入を外し、電動チェーンブロック１２ｃ１でチェーンを巻き取り、固定ブラケット１２ｃ３を本体１２ａ側に引き込む。その後、電動チェーンブロック１２ｃ１のチェーンを延出させて、建設用リフト１２を下降させる。この際、建設用リフト１２は、ガイドローラ１２ｄが下降用マスト１１ｃ２に当接することで、下降用マスト１１ｃ２に沿って円滑に上昇する。所定高さ下降した建設用リフト１２は、前記した方法と同様の方法で、固定ブラケット１２ｃ３の一端部を外側に突出させ、この一端部に形成された孔に対し、下降用マスト１１ｃ２に形成された固定ピン１１ｃ５を挿入して落下が防止された状態に設置する。そして、建設用リフト１２が下降した部分の下降用マスト１１ｃ２及び足場１１を撤去し、クレーン１２ｂで地上まで吊り下ろしたり、工事用仮設エレベータ１１ｄによって地上まで搬送したりする。なお、建設用リフト１２が下降することで不要となった足場１１は、順次作業員によって解体され、クレーン１２ｂによって地上まで吊り下ろされる。（図１１における［１５］）
【００９３】
［煙突解体工程］と［建設用リフト下降工程］とを所定回数繰り返し、煙突ａが地上から所定高さとなるまで解体する。（図１１における［１３］〜［１７］）
【００９４】
次に、図示しない移動式クレーンを設置し、この移動式クレーンによって足場１１を解体する。（図１１における［１８］）
【００９５】
次に、図示しない煙突解体専用機によって、煙突残部の解体を行う。（図１１における［１９］、［２０］）
【００９６】
本実施の形態によれば、以下のような効果を得ることができる。
【００９７】
＜１＞解体される煙突ａの周囲に足場１１が組み立てられるとともに、建設用リフト１２は、電動チェーンブロック１２ｃ１によって煙突ａの側部で上昇し、さらに、煙突ａの頂部上方まで第１の水平レール１１ｃ３及び第２の水平レール１１ｃ４に沿って水平移動するので、煙突ａの頂部上方に容易に位置することができる。そして、建設用リフト１２は、煙突ａの頂部上方に位置する状態に電動チェーンブロック１２ｃ１によって漸次下降するので、作業員による煙突ａの解体作業を連続的に補助することができる。ここで、足場１１は比較的狭い敷地に立設された煙突ａの周囲にも容易に組み立てることができるものである。すなわち、煙突ａが比較的狭い敷地に立設されている場合においても、煙突ａの解体を作業員の解体作業の負担を軽減し、効率を上げながら行うことができる。
【００９８】
＜２＞具体的には、建設用リフト１２にはコンクリート砕破機１２ｈや鉄筋切断機１２ｉ等の解体手段が設けられているので、作業員は解体手段を用いて煙突ａの解体を行うことで、作業員による煙突ａの解体作業を補助することができる。すなわち、作業員は、解体手段を煙突ａの解体部まで搬送したりする必要がない。したがって、煙突ａの解体作業を行う作業員の負担を軽減することができる。
【００９９】
＜３＞また、建設用リフト１２にはクレーン１２ｂが設けられているので、このクレーン１２ｂを用いて、建設資材、解体機器等を、地上から解体部まで吊り上げたり、解体部から地上まで吊り下ろしたりすることができる。
【０１００】
＜４＞また、建設用リフト１２には、足場１１のうち煙突ａの解体作業を行う部分を、その周囲から覆う養生シート１２ｊが吊り下げられているので、解体作業によって生じる粉塵、有害物質等の周囲への飛散を防止することができる。
【０１０１】
＜５＞また、建設用リフト１２には、煙突ａ内部を昇降するゴンドラ１２ｆが吊り下げられている。これにより、煙突ａを解体する前に、煙突ａの内部を洗浄したり、ダイオキシン類等の有害物質を固化・埋封するための埋封剤を充填したりする作業を容易かつ確実に行うことができる。
【０１０２】
＜６＞足場１１には工事用仮設エレベータ１１ｄが設けられているので、この工事用仮設エレベータ１１ｄを用いて、建設資材、解体機器、作業員等を、地上から解体部まで搬送したり、解体部から地上まで搬送したりすることができる。
【０１０３】
＜７＞足場１１は、枠組足場１１ａと、この枠組足場１１ａに対して煙突ａに向けて跳ね出して固定されるブラケット足場１１ｂとであるため、煙突ａのように上部と下部とで直径が異なり、枠組足場１１ａと煙突ａとの間に間隔が生じる場合においても、この間隔にブラケット足場１１ｂを跳ね出すことで、作業員が解体作業を行うための場所を容易に確保できる。
【０１０４】
＜８＞ブラケット足場１１ｂは、跳ねだし幅を調整可能であるため、煙突ａのように上部から下部へ向けて幅が漸次変化し、枠組足場１１ａと煙突ａとの間の間隔が漸次変化する場合においても、この間隔にブラケット足場１１ｂを、跳ね出し幅を調整しながら跳ね出すことで、作業員が解体作業を行う場所を容易に確保できる。
【０１０５】
＜９＞建設用リフト１２の昇降は、建設用リフト１２を吊り下げる電動チェーンブロック１２ｃ１によって行われる。すなわち、比較的簡易な構成で建設用リフト１２を昇降させることができ、メインテナンス等も容易となる。
【０１０６】
＜１０＞この際、建設用リフト１２の落下を防止するための、固定ブラケット１２ｃ３及び固定ピン１１ｃ５が設けられているため、建設用リフト１２はその落下が防止されて安定的に昇降することができる。
【０１０７】
＜１１＞建設用リフト１２は、そのガイドローラ１２ｄが上昇用マスト１１ｃ１や下降用マスト１１ｃ２にガイドされながら、さらに安定的に昇降することができる。また、電動チェーンブロック１２ｃ１が固定される上昇用マスト１１ｃ１や下降用マスト１１ｃ２は、足場１１に隣接して立設され、建設用リフト１２が昇降するためのものである。すなわち、建設用リフト１２の荷重は電動チェーンブロック１２ｃ１を介して上昇用マスト１１ｃ１や下降用マスト１１ｃ２に負担される。すなわち、建設用リフト１２の荷重が足場１１等に負担されることがないため、足場１１は、昇降中の建設用リフト１２の振動、衝撃を直接受けることがない。したがって、足場１１を安定して立設することができる。
【０１０８】
〔第２の実施の形態〕
本実施の形態も、図１８〜図２３に示すように、煙突ａの解体を行う方法についてのものであり、〔第１の実施の形態〕の変形例である。すなわち、本実施の形態は、〔第１の実施の形態〕と多くの点で類似するが、解体装置２０、建設用リフト２２の構成、建設用リフト２２の昇降方法、建設用リフト２２の水平移動方法等が若干異なっている。逆にいえば、図１８に示すように、枠組足場２１ａ、ブラケット足場２１ｂ等を備える構成は〔第１の実施の形態〕と同様である。また、建設用リフト２２の、本体２２ａ、クレーン２２ｂ（揚重手段）、作業用レール２２ｇ、コンクリート砕破機２２ｈ（解体手段）、鉄筋切断機２２ｉ（解体手段）、養生シート２２ｊ、ワイヤ２２ｊ１、その他、図示しない、噴霧装置、照明、換気装置等を備える構成も〔第１の実施の形態〕と同様である。
【０１０９】
解体装置２０においては、ガイドレール２１ｃ（ガイド部材）が、例えばクランプ等の専用の金具によって足場２１に固定されている。また、建設用リフト２２の昇降装置２２ｃ（昇降手段）は、本体２２ａの両端部にそれぞれ設けられている。この昇降装置２２ｃは、図１９に示すように、ガイドレール２１ｃの頂部に固定される電動チェーンブロック２２ｃ１（巻取装置）、電動チェーンブロック２２ｃ１から延出されたチェーンが玉掛けされる吊環２２ｃ２、建設用リフト２２を足場２１に対して、着脱可能に固定するためのクランプ２２ｃ３（落下防止部材）等を備えている。
【０１１０】
なお、ガイドレール２１ｃは、足場２１のうち、建設用リフト２２が昇降する部分近傍にのみ設けられる。電動チェーンブロック２２ｃ１のチェーンを巻き取ることで建設用リフト２２は上昇し、電動チェーンブロック２２ｃ１のチェーンを延出することで建設用リフト２２は下降する。
【０１１１】
煙突ａの側部で上昇した建設用リフト２２を、煙突ａの頂部上方まで水平移動させるための構成は、以下の通りである。すなわち、足場２１の頂部には、図１８に示すように、略Ｌ字型に形成された水平移動用桁２１ｄが煙突ａに向けて跳ね出した状態に固定される。そして、水平移動用桁２１ｄの先端部には、この水平移動用桁２１ｄの跳ね出し方向とは略直交方向に水平移動用レール２１ｄ１（水平部材）が固定される。建設用リフト２２は、水平移動用レール２１ｄ１に設けられたローラキャリアを介して水平移動可能である。なお、水平移動用桁２１ｄ及び水平移動用レール２１ｄ１は、建設用リフト２２を吊り下げるための所定の剛性及び強度を有するものである。
【０１１２】
以下に、本実施の形態における建設用リフト２２を煙突ａの側部で足場２１に沿って上昇させる方法と、煙突ａの側部で上昇した建設用リフト２２を煙突ａの頂部上方まで水平移動させる方法、建設用リフト２２を煙突ａの頂部上方に位置する状態に下降させる方法について説明する。
【０１１３】
［建設用リフト上昇工程］
図２０において、建設用リフト２２は、ガイドレール２１ｃの上端部に固定された電動チェーンブロック２２ｃ１よりわずかに下方において、クランプ２２ｃ３が足場２１を把持することで足場２１に固定されている。この状態においては、電動チェーンブロック２２ｃ１から延出されたチェーンが建設用リフト２２に設けられた吊環２２ｃ２に玉掛けされている。（図１９参照）
【０１１４】
先ず、図２１に示すように、足場２１を上方に所定高さ組み立てる。次に、図２２に示すように、電動チェーンブロック２２ｃ１から延出されたチェーンの吊環２２ｃ２に対する玉掛けを外すとともに、ガイドレール２１ｃを足場２１から取り外す。次に、クレーン１２ｂでガイドレール２１ｃを、新たに組み立てられた足場２１の高さ分吊り上げて、再び足場２１に固定するとともに、電動チェーンブロック２２ｃ１からチェーンを延出して吊環２２ｃ２に対して玉掛けする。
【０１１５】
そして、図２３に示すように、電動チェーンブロック２２ｃ１でチェーンを巻き取ることで建設用リフト２２を上昇させる。この際、建設用リフト２２は、ガイドローラ２２ｄによって、ガイドレール２１ｃに沿って円滑に上昇する。上昇した建設用リフト２２は、クランプ２２ｃ３によって再び足場２１に固定する。
【０１１６】
前記した作業を所定回数繰り返し、建設用リフト２２を煙突ａの頂部まで上昇させる。なお、ガイドレール２１ｃは、逐次上方に移動させて転用することができるので施工コストを抑えることができる。
【０１１７】
［建設用リフト水平移動工程］
煙突ａの側部で建設用リフト２２が煙突ａの頂部まで達したら、前記した水平移動用桁２１ｄを煙突ａに向けて跳ね出した状態に固定する。そして、水平移動用桁２１ｄの先端部には、この水平移動用桁２１ｄの跳ね出し方向とは略直交方向に水平移動用レール２１ｄ１を固定する。そして、建設用リフト２２を、水平移動用レール２１ｄ１に対してローラキャリアを介して水平移動可能に吊り下げる。その後、クランプ２２ｃ３を緩めて足場１１から切り離した建設用リフト２２を、水平移動用レール２１ｄ１に沿って水平移動させることで煙突ａの頂部上方に位置させる。そして、クランプ２２ｃ３によって再び足場２１を把持させることで、建設用リフト１２を足場１１に対して固定する。
【０１１８】
［建設用リフト下降工程］
煙突ａが下方に所定高さ解体されたら、ガイドレール２１ｃを建設用リフト２２の下方に足場２１に対して固定する。そして、クランプ２２ｃ３を緩めて建設用リフト２２を足場２１から切り離し、電動チェーンブロック２１ｃ１から漸次チェーンを延出させることで、ガイドレール２１ｃに沿って建設用リフト２２を下降させる。次に、建設用リフト２２が下降した部分のガイドレール２１ｃ及び足場２１は適宜撤去し、クレーン２２ｂで地上まで吊り下ろしたり、工事用仮設エレベータ１１ｄによって地上まで搬送したりする。
【０１１９】
本実施の形態によれば、〔第１の実施の形態〕における＜２＞〜＜９＞と略同様の効果を得ることができることは勿論のこと、以下のような効果を得ることができる。
【０１２０】
＜１２＞解体される煙突ａの周囲に足場２１が組み立てられるとともに、建設用リフト２２は、電動チェーンブロック２２ｃ１によって煙突ａの側部で上昇し、さらに、煙突ａの頂部上方まで水平移動用レール２１ｄ１に沿って水平移動するので、煙突ａの頂部上方に容易に位置することができる。そして、建設用リフト１２は、煙突ａの頂部上方に位置する状態に電動チェーンブロック２２ｃ１によって漸次下降するので、作業員による煙突ａの解体作業を連続的に補助することができる。ここで、足場１１は比較的狭い敷地に立設された煙突ａの周囲にも容易に組み立てることができるものである。すなわち、煙突ａが比較的狭い敷地に立設されている場合においても、煙突ａの解体を作業員の解体作業の負担を軽減し、効率を上げながら行うことができる。
【０１２１】
＜１３＞この際、建設用リフト２２の昇降をガイドするガイドレール２１ｃは、建設用リフト２２が昇降する部分にのみ設けられていればよく、適宜盛り替えて用いることができるものである。ガイドレール２１ｃを適宜盛り替えながら用いることでガイドレール２１ｃの使用量を低減して機械コストを抑え、結果、施工コストを抑えることができる。
【０１２２】
＜１４＞また、クランプ２２ｃ３によって建設用リフト１２を足場１１に対して固定することで、建設用リフト２２を足場２１に対して安定的に支持させることができる。
【０１２３】
＜１５＞また、建設用リフト２２は、そのガイドローラ１２ｄがガイドレール２１ｃにガイドされながら、さらに安定的に昇降することができる。
【０１２４】
〔第３の実施の形態〕
本実施の形態も、図２４〜図２６に示すように、煙突ａの解体を行う方法についてのものであり、〔第１の実施の形態〕の変形例である。すなわち、本実施の形態は、〔第１の実施の形態〕と多くの点で類似するが、解体装置３０、建設用リフト３２の構成、建設用リフト３２の昇降方法、建設用リフト３２の水平移動方法等が若干異なっている。逆にいえば、図２４に示すように、枠組足場３１ａ、ブラケット足場３１ｂ等を備える構成は〔第１の実施の形態〕と同様である。また、建設用リフト３２の、本体３２ａ、クレーン３２ｂ（揚重手段）、作業用レール３２ｇ、コンクリート砕破機３２ｈ（解体手段）、鉄筋切断機３２ｉ（解体手段）、養生シート３２ｊ、ワイヤ３２ｊ１、その他、図示しない、噴霧装置、照明、換気装置等を備える構成も〔第１の実施の形態〕と同様である。
【０１２５】
解体装置３０においては、前記したように、ガイド柱３１ｃ（ガイド部材）及びラック３１ｄ（昇降手段）が、例えばクランプ等の専用の金具によって足場３１に固定されている。また、建設用リフト３２の昇降装置３２ｃ（昇降手段）は、本体３２ａの両端部にそれぞれ設けられている。このラック３１ｄは、建設用リフト３２を、煙突ａの側部で上昇させるための上昇用ラック３１ｄ１と、建設用リフト３２を、解体される煙突ａの頂部上方に位置した状態で下降させるための下降用ラック３１ｄ２と、上昇用ラック３１ｄ１と下降用ラック３１ｄ２とを連結し、建設用リフト３２を水平移動させるための水平移動用ラック３１ｄ３とから構成されている。なお、図２６に示すように、上昇用ラック３１ｄ１と下降用ラック３１ｄ２とは略直線状、水平移動用ラック３１ｄ３は略Ｕ字状に形成され、上昇用ラック３１ｄ１と下降用ラック３１ｄ２とは、煙突ａの頂部で水平移動用ラック３１ｄ３によって連結されている。なお、上昇用ラック３１ｄ１、下降用ラック３１ｄ２、水平移動用ラック３１ｄ３は、建設用リフト３２が昇降する部分のみに設けられていればよく、建設用リフト３２が通過した部分のものは、適宜撤去されてもよい。なお、ガイド柱３１ｃは、例えば鋼管であり、クランプ等によって足場３１に固定されている。
【０１２６】
建設用リフト３２の昇降装置３２ｃは、以下のように構成されている。すなわち、昇降装置３２ｃは、図２５、図２６に示すように、建設用リフト３２の本体３２ａに対して回動可能に設けられる第１の回動部材３２ｃ１、この第１の回動部材３２ｃ１に対して回動可能に設けられる第２の回動部材３２ｃ２、第１の回動部材３２ｃ１に固定されるモータ３２ｃ３（昇降手段）、第２の回動部材３２ｃ２に固定されるガイドローラ３２ｃ５、モータ３２ｃ３に連結されるピニオン３２ｃ４（昇降手段、ギア）等から構成されている。なお、第１の回動部材３２ｃ１は、回動軸ｏ１を中心に回動可能であり、第２の回動部材３２ｃ２は、回動軸ｏ２を中心に回動可能である。
【０１２７】
以下に、本実施の形態における建設用リフト３２を煙突ａの側部で足場３１に沿って上昇させる方法と、煙突ａの側部で上昇した建設用リフト３２を煙突ａの頂部上方まで水平移動させる方法、建設用リフト３２を煙突ａの頂部上方に位置する状態に下降させる方法について説明する。
【０１２８】
［建設用リフト上昇工程］
モータ３２ｃ３を駆動させることで、建設用リフト３２を上昇用ラック３１ｄ１に沿って上昇させ、上昇した建設用リフト３２を、図示しないストッパによって足場３１からの落下が防止された状態とする。
【０１２９】
［建設用リフト水平移動工程］
建設用リフト３２が煙突ａの側部で上昇したら、上昇用ラック３１ｄ１の上端部に、略Ｕ字型の水平移動用ラック３１ｄ３の一端部を連結し、このＵ字型の水平移動用ラック３１ｄ３の他端部に、下降用ラック３１ｄ２を連結する。次に、建設用リフト３２を上昇用ラック３１ｄ１から水平移動用ラック３１ｄ３に沿って移動させることで、図２６に示すように、建設用リフト３２を昇路ｕ側から降路ｄ側へ水平移動させることで、建設用リフト３２を煙突ａの頂部上方に位置させる。この際、図２６に示すように、第１の回動部材３２ｃ１が回動軸ｏ１を中心に本体３２ａに対して回動するとともに、第２の回動部材３２ｃ２が回動軸ｏ２を中心に第１の回動部材３２ｃ１に対して回動することで、建設用リフト３２は、上昇用ラック３１ｄ１から水平移動用ラック３１ｄ３を経由して下降用ラック３１ｄ２に対して移動可能である。なお、この際、本体３２ａは回動しない。
【０１３０】
［建設用リフト下降工程］
煙突ａが下方に所定高さ解体されたら、水平移動用ラック３１ｄ２を下方に延長するように足場３１に固定し、この延長された下降用ラック３１ｄ２に沿って、建設用リフト３２を下降させる。そして、煙突ａが解体された部分の足場３１を撤去し、クレーン３２ｂで地上まで吊り下ろしたり、工事用仮設エレベータ１１ｄによって地上まで搬送したりする。
【０１３１】
本実施の形態によれば、〔第１の実施の携帯〕における＜２＞〜＜８＞と略同一の効果を得ることができる他、以下のような効果を得ることができる。
【０１３２】
＜１６＞解体される煙突ａの周囲に足場３１が組み立てられるとともに、建設用リフト３２は、ピニオン３２ｃ４が連結されたモータ３２ｃ３によって上昇用ラック３１ｄ１に沿って煙突ａの側部で上昇し、さらに、煙突ａの頂部上方まで水平移動用ラック３１ｄ３に沿って水平移動するので、煙突ａの頂部上方に容易に位置することができる。そして、建設用リフト３２は、煙突ａの頂部上方に位置する状態に下降用ラック３１ｄ２に沿って漸次下降するので、作業員による煙突ａの解体作業を連続的に補助することができる。ここで、足場３１は比較的狭い敷地に立設された煙突ａの周囲にも容易に組み立てることができるものである。すなわち、煙突ａが比較的狭い敷地に立設されている場合においても、煙突ａの解体を作業員の解体作業の負担を軽減し、効率を上げながら行うことができる。
【０１３３】
＜１７＞建設用リフト３２の昇降は、足場３１に対して設けられる上昇用ラック３１ｄ１、下降用ラック３１ｄ２、水平移動用ラック３１ｄ３に、建設用リフト３２に設けられるモータ３２ｃ３に連結されたピニオン３２ｃ４が噛合することで行われるため、建設用リフト３２の昇降を精度良くかつ安定的に行うことができる。
【０１３４】
＜１８＞また、建設用リフト３２は、そのガイドローラ３２ｃ５がガイド柱３１ｃにガイドされながら、さらに安定的に昇降することができる。
【０１３５】
なお、本発明は前記した各実施の形態に限定されるものではなく、本発明の趣旨を逸脱しない範囲で任意の変更が可能である。
【０１３６】
例えば、前記した各実施の形態においては、ＲＣ製の煙突ａの解体について記載しているが、例えば、鉄塔やその他の塔状構造物の解体に用いることができることは勿論である。
【０１３７】
また、前記した各実施の形態においては、煙突ａの内部における洗浄、埋封剤の充填等の作業は、建設用リフト１２に吊り下げられたゴンドラ１２ｆに乗りこんだ作業員による手作業で行われている。しかし、例えば、煙突内部の洗浄、埋封剤による埋封等を行うための装置を建設用リフトから吊り下げ、この装置を遠隔操作することで行うこともできる。この装置には、例えば、煙突ａの内部を押圧した状態に当接するローラ、ダイオキシン類等の有害物質を固化・埋封するための埋封材を噴霧する噴霧装置、煙突内部を洗浄するために水を噴霧する噴霧装置等を備えさせることができる。
【０１３８】
【発明の効果】
請求項１に記載の発明によれば、前記建設用リフトは、その昇降手段によって解体される塔状構造物の周囲に組み立てられた足場に沿って上昇することで、塔状構造物の頂部上方に位置することができる。そして、作業員による塔状構造物の解体作業に合わせて、前記昇降手段によって、塔状構造物の頂部上方に位置する状態に漸次下降することで、前記解体作業を連続的に補助することができる。ここで、前記足場は比較的狭い敷地に立設された塔状構造物の周囲にも容易に組み立てることができるものである。すなわち、塔状構造物が比較的狭い敷地に立設されている場合においても、塔状構造物の解体を作業員の解体作業の負担を軽減し、効率を上げながら行うことができる。
【０１３９】
請求項２に記載の発明によれば、請求項１に記載の発明と同様の効果が得られることは勿論のこと、作業員は前記解体手段を用いて塔状構造物の解体を行うことができる。すなわち、作業員は、解体手段を塔状構造物の解体部まで搬送したりする必要がない。したがって、塔状構造物の解体作業を行う作業員の負担を軽減することができる。
【０１４０】
請求項３に記載の発明によれば、請求項１又は２に記載の発明と同様の効果が得られることは勿論のこと、前記揚重手段を用いて、建設資材、解体機器等を、地上から解体部まで吊り上げたり、解体部から地上まで吊り下ろしたりすることができる。
【０１４１】
請求項４に記載の発明によれば、請求項１〜３のいずれか一項に記載の発明と同様の効果が得られることは勿論のこと、前記工事用仮設エレベータを用いて、建設資材、解体機器、作業員等を、地上から塔状構造物の解体部まで搬送したり、前記解体部から地上まで搬送したりすることができる。
【０１４２】
請求項５に記載の発明によれば、請求項１〜４のいずれか一項に記載の発明と同様の効果が得られることは勿論のこと、塔状構造物が煙突のように上部と下部とで直径が異なり、枠組足場と塔状構造物との間に間隔が生じる場合においても、この間隔にブラケット足場を跳ね出すことで、作業員が解体作業を行うための場所を容易に確保できる。
【０１４３】
請求項６に記載の発明によれば、請求項５に記載の発明と同様の効果が得られることは勿論のこと、塔状構造物が煙突のように上部から下部へ向けて径が漸次変化し、枠組足場と塔状構造物との間の間隔が漸次変化する場合においても、この間隔にブラケット足場を、跳ね出し幅を調整しながら跳ね出すことで、作業員が解体作業を行う場所を容易に確保できる。
【０１４４】
請求項７に記載の発明によれば、請求項１〜６のいずれか一項に記載の発明と同様の効果が得られることは勿論のこと、養生シートによって、解体作業によって生じる粉塵、有害物質等の周囲への飛散を防止することができる。
【０１４５】
請求項８に記載の発明によれば、請求項１〜７のいずれか一項に記載の発明と同様の効果が得られることは勿論のこと、前記ゴンドラを利用することで、煙突を解体する前に、煙突内部を洗浄したり、ダイオキシン類等の有害物質を固化・埋封するための埋封剤を充填したりする作業を容易かつ確実に行うことができる。
【０１４６】
請求項９に記載の発明によれば、請求項１〜８のいずれか一項に記載の発明と同様の効果が得られることは勿論のこと、前記落下防止部材によって、建設用リフトはその落下が防止されて安定的に昇降することができる。
【０１４７】
請求項１０に記載の発明によれば、請求項１〜９のいずれか一項に記載の発明と同様の効果が得られることは勿論のこと、前記建設用リフトは、そのガイドローラが前記ガイド部材にガイドされながら、さらに安定的に昇降することができる。
【０１４８】
請求項１１に記載の発明によれば、請求項１０に記載の発明と同様の効果が得られることは勿論のこと、建設用リフトの昇降を行うための昇降手段の構成を、比較的簡易なものとすることができるとともに、昇降手段のメインテナンス等も容易となる。
【０１４９】
請求項１２に記載の発明によれば、請求項１１に記載の発明と同様の効果が得られることは勿論のこと、塔状構造物の側部で上昇した建設用リフトを、前記水平部材に沿って水平移動させることで塔状構造物の頂部上方に容易に位置させることができる。
【０１５０】
請求項１３に記載の発明によれば、請求項１０に記載の発明と同様の効果が得られることは勿論のこと、建設用リフトの昇降を行うための昇降手段の構成を精度が良くかつ安定的なものとすることができる。
【０１５１】
請求項１４に記載の発明によれば、請求項１３に記載の発明と同様の効果が得られることは勿論のこと、建設用リフトは、塔状構造物の側部で前記上昇用ラックに沿って上昇することができる。そして、塔状構造物の頂部まで上昇した建設用リフトは、前記水平移動用ラックに沿って水平移動することで、解体される塔状構造物の頂部上方に容易に位置することができる。さらに、建設用リフトは、解体される塔状構造物の頂部上方に位置する状態に前記下降用ラックに沿って漸次下降することで、作業員による塔状構造物の解体作業を連続的に補助することができる。
【０１５２】
請求項１５に記載の発明によれば、請求項１１〜１４のいずれか一項に記載の発明と同様の効果が得られることは勿論のこと、前記巻取装置又は前記ラックは、前記ガイド部材に対して固定されている。ここで、前記ガイド部材は、前記したように、建設用リフトが昇降する部分にのみ設けられていればよく、使用量の低減等を図るために建設用リフトの昇降方向に沿って適宜盛り替えて用いることができるものである。また、巻取装置やラックも、前記したように、建設用リフトが昇降する部分にのみ設けられていればよく、安定性の確保、使用量の低減等のために建設用リフトの昇降方向に沿って適宜盛り替えて用いることができるものである。すなわち、前記建設用リフトを昇降させる際において、ガイド部材やラックの使用量を低減したり巻取装置の安定性を確保したりするための、前記ガイド部材の盛り替え作業と、巻取装置やラックの盛り替え作業とを同時に行って作業性を向上させることができる。
【０１５３】
請求項１６に記載の発明によれば、請求項１５に記載の発明と同様の効果が得られることは勿論のこと、前記巻取装置や前記ラックが固定される前記ガイド部材は、前記足場に隣接して立設され、前記建設用リフトが昇降するためのマストである。すなわち、前記建設用リフトの荷重は、前記巻取装置や前記ラックを介してマストに負担される。すなわち、前記建設用リフトの荷重が足場等に負担されることがないため、足場は、昇降中の建設用リフトの振動、衝撃を直接受けることがない。したがって、足場の安定して立設することができる。
【０１５４】
請求項１７に記載の発明によれば、解体される塔状構造物の周囲に足場が組み立てられるとともに、前記建設用リフトは、前記巻取装置によって塔状構造物の側部で上昇し、さらに、塔状構造物の頂部上方まで前記水平部材に沿って水平移動するので、塔状構造物の頂部上方に容易に位置することができる。そして、前記建設用リフトは、塔状構造物の頂部上方に位置する状態に前記巻取装置によって漸次下降するので、作業員による塔状構造物の解体作業を連続的に補助することができる。ここで、前記足場は比較的狭い敷地に立設された塔状構造物の周囲にも容易に組み立てることができるものである。すなわち、塔状構造物が比較的狭い敷地に立設されている場合においても、塔状構造物の解体を作業員の解体作業の負担を軽減し、効率を上げながら行うことができる。
【０１５５】
請求項１８に記載の発明によれば、解体される塔状構造物の周囲に足場が組み立てられるとともに、前記建設用リフトは、前記上昇用ラックに沿って塔状構造物の側部で上昇し、さらに、塔状構造物の頂部上方まで前記水平移動用ラックに沿って水平移動することで、塔状構造物の頂部上方に容易に位置することができる。そして、前記建設用リフトは、塔状構造物の頂部上方に位置する状態に前記下降用ラックに沿って漸次下降することで、作業員による塔状構造物の解体作業を連続的に補助することができる。ここで、前記足場は比較的狭い敷地に立設された塔状構造物の周囲にも容易に組み立てることができるものである。すなわち、塔状構造物が比較的狭い敷地に立設されている場合においても、塔状構造物の解体を作業員の解体作業の負担を軽減し、効率を上げながら行うことができる。
【図面の簡単な説明】
【図１】〔第１の実施の形態〕において、本発明に係る解体装置の全体構成を示す側断面図である。
【図２】〔第１の実施の形態〕において、本発明に係る解体装置の全体構成を示す平面図である。
【図３】〔第１の実施の形態〕において、本発明に係る解体装置によって煙突を解体している状況を示す側断面図である。
【図４】〔第１の実施の形態〕において、本発明に係る足場、マスト、建設用リフトを示す平断面図である。
【図５】〔第１の実施の形態〕において、本発明に係る昇路側水平移動用レール、降路側水平移動用レール、水平移動用桁等を用いて建設用リフトを水平移動している状況を示す側面図である。
【図６】〔第１の実施の形態〕において、本発明に係る昇路側水平移動用レール（降路側水平移動用レール）、水平移動用桁等を用いて建設用リフトを水平移動している状況を示す、（ａ）は平断面図、（ｂ）は側断面図である。
【図７】〔第１の実施の形態〕において、本発明に係る固定ブラケットを用いて建設用リフトが上昇用マスト（下降用マスト）に固定された状態を示す、（ａ）は側断面図、（ｂ）は平断面図である。
【図８】〔第１の実施の形態〕において、本発明に係る昇降吊りブラケット、固定ブラケット等を示す側断面図であり、（ｂ）は、固定ブラケットを回動させて上昇用マスト（下降用マスト）に設けられた固定ピンに係合した状態を示す平断面図である。
【図９】〔第１の実施の形態〕において、本発明に係るゴンドラが煙突の内部に吊り下げられた状態を示す側断面図である。
【図１０】〔第１の実施の形態〕において、本発明に係る解体装置による煙突の解体工程（解体工事前工程）を示すフローである。
【図１１】〔第１の実施の形態〕において、本発明に係る解体装置による煙突の解体工程（解体工事本工程）を示すフローである。
【図１２】〔第１の実施の形態〕において、本発明に係る建設用リフトを、足場や上昇用マストを組み立てながら上昇させている状況を示す、（ａ）、（ｂ）、互いに直交方向からの側断面図である。
【図１３】〔第１の実施の形態〕において、本発明に係る建設用リフトを、足場や上昇用マストを組み立てながら上昇させている状況を示す側断面図である。
【図１４】〔第１の実施の形態〕において、本発明に係る建設用リフトを、足場や上昇用マストを組み立てながら上昇させている状況を示す側断面図である。
【図１５】〔第１の実施の形態〕において、本発明に係る建設用リフトが、煙突の頂部まで到達した状態を示す側断面図である。
【図１６】〔第１の実施の形態〕において、本発明に係る建設用リフトを煙突の頂部上方まで水平移動させている状況を示す側断面図である。
【図１７】〔第１の実施の形態〕において、本発明に係る建設用リフトに対し、コンクリート砕破機、鉄筋切断機等が吊り下げられた状態を示す側断面図である。
【図１８】〔第２の実施の形態〕において、本発明に係る解体装置によって煙突を解体している状況、及び、解体装置の昇降装置を示す側断面図である。
【図１９】〔第２の実施の形態〕において、本発明に係る解体装置の昇降装置を示す、（ａ）は側断面図、（ｂ）は平断面図である。
【図２０】〔第２の実施の形態〕において、本発明に係る建設用リフトを、足場を組み立てながら上昇させている状況を示す側断面図である。
【図２１】〔第２の実施の形態〕において、本発明に係る建設用リフトを、足場を組み立てながら上昇させている状況を示す側断面図である。
【図２２】〔第２の実施の形態〕において、本発明に係る建設用リフトを、足場を組み立てながら上昇させている状況を示す側断面図である。
【図２３】〔第２の実施の形態〕において、本発明に係る建設用リフトを、足場を組み立てながら上昇させている状況を示す側断面図である。
【図２４】〔第３の実施の形態〕において、本発明に係る解体装置によって煙突を解体している状況、及び、解体装置の昇降装置を示す側断面図である。
【図２５】〔第３の実施の形態〕において、本発明に係る解体装置の昇降装置を示す、（ａ）は側断面図、（ｂ）は平断面図である。
【図２６】〔第３の実施の形態〕において、本発明に係る建設用リフトを昇路側から降路側へ移動させている状況を示す模式的な側面図である。
【符号の説明】
１０              解体装置
１１            足場
１１ａ        枠組足場
１１ｂ        ブラケット足場
１１ｃ        マスト（ガイド部材）
１１ｃ１    上昇用マスト
１１ｃ２    下降用マスト
１１ｃ３    第１の水平レール（水平部材）
１１ｃ４    第２の水平レール（水平部材）
１１ｃ５    固定ピン（落下防止部材）
１１ｄ        工事用仮設エレベータ
１２            建設用リフト
１２ｂ        クレーン（揚重手段）
１２ｃ        昇降装置（昇降手段）
１２ｃ１    電動チェーンブロック（巻取装置）
１２ｃ２    昇降吊りブラケット
１２ｃ３    固定ブラケット（落下防止部材）
１２ｄ        ガイドローラ
１２ｆ        ゴンドラ
１２ｈ        コンクリート砕破機（解体手段）
１２ｉ        鉄筋切断機（解体手段）
１２ｊ        養生シート
２０              解体装置
２１            足場
２１ａ        枠組足場
２１ｂ        ブラケット足場
２１ｃ        ガイドレール（ガイド部材）
２１ｄ１    水平移動用レール（水平部材）
２２            建設用リフト
２２ｂ        クレーン（揚重手段）
２２ｃ        昇降装置（昇降手段）
２２ｃ１    電動チェーンブロック（巻取装置）
２２ｃ２    吊輪
２２ｃ３    クランプ（落下防止部材）
２２ｄ        ガイドローラ
２２ｈ        コンクリート砕破機（解体手段）
２２ｉ        鉄筋切断機（解体手段）
２２ｊ        養生シート
３０              解体装置
３１            足場
３１ａ        枠組足場
３１ｂ        ブラケット足場
３１ｃ        ガイド柱（ガイド部材）
３１ｄ        ラック（昇降手段）
３１ｄ１    上昇用ラック
３１ｄ２    下降用ラック
３１ｄ３    水平移動用ラック
３２            建設用リフト
３２ｂ        クレーン（揚重手段）
３２ｃ        昇降装置（昇降手段）
３２ｃ３    モータ（昇降手段）
３２ｃ４    ピニオン（ギア、昇降手段）
３２ｃ５    ガイドローラ
３２ｈ        コンクリート砕破機（解体手段）
３２ｉ        鉄筋切断機（解体手段）
３２ｊ        養生シート
【図１】
2004183450.tif 000003
【図２】
2004183450.tif 000004
【図３】
2004183450.tif 000005
【図４】
2004183450.tif 000006
【図５】
2004183450.tif 000007
【図６】
2004183450.tif 000008
【図７】
2004183450.tif 000009
【図８】
2004183450.tif 000010
【図９】
2004183450.tif 000011
【図１０】
2004183450.tif 000012
【図１１】
2004183450.tif 000013
【図１２】
2004183450.tif 000014
【図１３】
2004183450.tif 000015
【図１４】
2004183450.tif 000016
【図１５】
2004183450.tif 000017
【図１６】
2004183450.tif 000018
【図１７】
2004183450.tif 000019
【図１８】
2004183450.tif 000020
【図１９】
2004183450.tif 000021
【図２０】
2004183450.tif 000022
【図２１】
2004183450.tif 000023
【図２２】
2004183450.tif 000024
【図２３】
2004183450.tif 000025
【図２４】
2004183450.tif 000026
【図２５】
2004183450.tif 000027
【図２６】
2004183450.tif 000028